(57)【要約】【課題】  ハード操作子の持つ操作性と各種電子機器に対応したソフト操作子をＬＣＤユニット上に表示することによって実現される利便性を併せ持つようにする。【解決手段】  リモコン装置は、ハード操作子と表示手段に表示されたソフト操作子の両方を用いて、複数の電子機器を遠隔操作できるように構成されている。表示手段は、制御対象電子機器の制御機能に付けられた優先度順に表示する。このように、制御対象電子機器の機能ボタンを表示画面に表示する際に、ハードキーとは異なる機種依存性の高いボタンを優先して表示することによって操作対象機器を切換えた後にリモコン装置全体を用いて操作対象機器の主な制御を行うことができるようになり、操作性が向上する。【選択図】      図２
2008167459.tif 000002
【特許請求の範囲】
【請求項１】
電子機器を遠隔操作するリモートコントロール装置であって、
ハード操作子を複数備えた本体手段と、
制御機能の表示切替が可能なソフト操作子を表示画面上で操作可能に表示する表示手段とを有し、
前記表示手段は、制御対象電子機器の制御機能に付けられた優先度順に表示することを特徴とするリモートコントロール装置。
【請求項２】
請求項１において、前記表示手段は、本体手段及び前記ハード操作子の一部分を覆う状態と覆わない状態に自由に移動可能であることを特徴とするリモートコントロール装置。
【請求項３】
請求項２において、前記本体手段の前面であって、前記表示手段によって覆われないような個所に前記ハード操作子の一部を設けたことを特徴とするリモートコントロール装置。
【請求項４】
請求項１、２又は３において、前記本体手段の側面に前記ハード操作子の一部を設けたことを特徴とするリモートコントロール装置。
【請求項５】
請求項２、３又は４において、前記表示手段は、前記本体手段の前面のほぼ中央付近に設けられた回転ダイアル手段と一体に構成され、前記回転ダイアル手段の回転移動に連動して移動することを特徴とするリモートコントロール装置。
【請求項６】
請求項５において、前記回転ダイアル手段の下側であって前記表示手段によって覆われる前記本体手段の前面にハード操作子を設け、前記回転ダイアル手段の上側であって前記表示手段によって覆われる前記本体手段の前面に別のハード操作子を設け、前記回転ダイアル手段の上側であって前記本体手段の側面にさらに別のハード操作子を設けたことを特徴とするリモートコントロール装置。
【請求項７】
請求項５において、前記回転ダイアル手段の下側だけが前記表示手段によって覆われ、その覆われる前記本体手段の前面にハード操作子を設け、前記回転ダイアル手段の上側であって前記表示手段によって覆われることはないが、覆われた場合、その上側全体が隠れてしまうような大きさの前記本体手段の前面に別のハード操作子を設け、前記回転ダイアル手段の上側であって前記本体手段の側面にさらに別のハード操作子を設けたことを特徴とするリモートコントロール装置。
【請求項８】
請求項５、６又は７において、前記回転ダイアル手段のほぼ中央付近に前記表示手段の表示画面を制御する画面制御操作子を備えたことを特徴とするリモートコントロール装置。
【請求項９】
請求項８において、前記画面制御操作子は上下左右に操作されることによって前記表示画面を制御する第１の操作子と、この第１の操作子手段の操作される上下左右の方向とは異なる上下斜め方向に前記表示画面制御時のクリア及び戻るを指示する第２及び第３の操作子とをそれぞれ設けたことを特徴とするリモートコントロール装置。
【請求項１０】
請求項２から９までに記載のいずれか１において、前記表示手段によって覆われていない個所のハード操作子及び前記表示手段の画面上に表示されているソフト操作子の両方の操作子で一つの電子機器を遠隔操作できるように構成されたことを特徴とするリモートコントロール装置。
【請求項１１】
請求項２から１０までに記載のいずれか１において、前記表示手段によって覆われていない個所のハード操作子とは異なる種類のソフト操作子を優先的に前記表示手段の画面上に表示することを特徴とするリモートコントロール装置。
【請求項１２】
請求項２から１１までに記載のいずれか１において、前記電子機器の複数の機能を備えた複合機器を遠隔操作する場合には、前記表示手段が前記ハード操作子を覆わない状態で前記ハード操作子及び前記ソフト操作子の両方の操作子で遠隔操作できるように構成されたことを特徴とするリモートコントロール装置。
【請求項１３】
請求項２から１２までに記載のいずれか１において、前記表示手段の移動後の位置及び向きに応じて前記表示画面の向きを変更して表示することを特徴とするリモートコントロール装置。
【請求項１４】
請求項１から１３までに記載のいずれか１において、前記本体手段に音声を検出するマイクロフォン手段を設け、検出された音声に応じて予め登録しておいた複数機能の連続操作を実行できるようにしたことを特徴とするリモートコントロール装置。
【請求項１５】
請求項１から１４までに記載のいずれか１において、前記表示画面の切換えを行うハード操作子を前記表示手段に設けたことを特徴とするリモートコントロール装置。
【請求項１６】
請求項１から１５までに記載のいずれか１において、前記表示画面上に遠隔操作の対象となる電子機器の一覧を表示してその選択を行うためのハード操作子を前記本体手段に設け、同様のソフト操作子を前記表示画面上にそれぞれ設けたことを特徴とするリモートコントロール装置。
【請求項１７】
請求項１から１６までに記載のいずれか１において、ブラインド操作と連続押しを行う操作子はハード操作子として設けたことを特徴とするリモートコントロール装置。
【発明の詳細な説明】
【技術分野】
【０００１】
本発明は、離れた場所からＡＶ機器や家電製品などの各種電子機器を遠隔操作するリモートコントロール装置に係り、特に１台で複数の電子機器を遠隔操作できるリモートコントロール装置に関する。
【背景技術】
【０００２】
最近の電子機器には、遠隔操作のためのリモートコントロール（リモコン）装置が付属されている。例えば、テレビ、ビデオカメラ、ＣＤプレーヤー、ＭＤ／ＣＤデッキ、ディスクプレーヤー、ビデオデッキ、ビデオＣＤ／ＤＶＤプレーヤー、ラジカセ、ゲーム機などの電子機器にはそれぞれ別々のリモコン装置が存在する。このような電子機器の複数が居室内に存在すると、そのリモコン装置の数が多くなり、どのリモコン装置がどの家電製品のものであるのかが分からなくなったりしないように、これらを適切に保管・管理する必要があり、ユーザに取っては非常に煩わしいものであった。そこで、特許文献１のように１台のリモコン装置を用いて複数の電子機器をそれぞれ別々に操作することができるようにしたものが提案されている。
【特許文献１】特開２００２−１５２８６３号公報
【発明の開示】
【発明が解決しようとする課題】
【０００３】
特許文献１に記載されたものは、タッチパネルを装着したＬＣＤユニットを用い、このＬＣＤユニット上に各電子機器に対応した操作キーや機能キーなどを表示し、これらのキーの操作状態をタッチパネルで検出して、その操作信号を送出するようにしているので、操作可能な電子機器に対応したハードキーを備えなくてもよいという利便性がある。ところが、特許文献１に記載されたものは、全ての操作キーや機能キーをＬＣＤユニットに表示している関係で、キー操作時のクリック感などの操作感覚が通常のハードキーに比べて乏しいという問題があった。また、ハードキー操作の場合には操作対象である電子機器などの画面などを見ながらブラインドで連続でキー操作することができたのに対して、ＬＣＤユニット上のソフトキーは、ハードキーに比べてその操作感覚が乏しいので、操作者はリモコン装置のＬＣＤユニットを見て操作しては、その操作が確実に行われたかどうかの確認を一々操作対象である電子機器などの画面などを見て確認しなければならず、その操作性に著しく欠けるという問題があった。
本発明の目的は、ハード操作子の持つ操作性と各種電子機器に対応したソフト操作子をＬＣＤユニット上に表示することによって実現される利便性を併せ持つリモートコントロール装置を提供することにある。
【課題を解決するための手段】
【０００４】
本発明に係るリモートコントロール装置の第１の特徴は、電子機器を遠隔操作するリモートコントロール装置であって、ハード操作子を複数備えた本体手段と、制御機能の表示切替が可能なソフト操作子を表示画面上で操作可能に表示する表示手段とを有し、前記表示手段は、制御対象電子機器の制御機能に付けられた優先度順に表示するものである。これは、制御対象電子機器の機能ボタンを表示画面に表示する際に、ハードキーとは異なる機種依存性の高いボタンを優先して表示するようにしたものである。これによって操作対象機器を切換えた後にリモコン装置全体を用いて操作対象機器の主な制御を行うことができるようになり、操作性が向上する。
【０００５】
本発明に係るリモートコントロール装置の第２の特徴は、前記第１の特徴において、前記表示手段が、本体手段及び前記ハード操作子の一部分を覆う状態と覆わない状態に自由に移動可能なことである。表示手段が本体手段及びハード操作子の一部分を覆う状態や覆わない状態に適宜移動可能なので、必要に応じてハード操作子とソフト操作子の両方によって電子機器を制御することができるようになり、その操作性を向上させることができる。
【０００６】
本発明に係るリモートコントロール装置の第３の特徴は、前記第１又は２の特徴において、前記本体手段の前面であって、前記表示手段によって覆われないような個所に前記ハード操作子の一部を設けたものである。前述のように本体手段の前面は、表示手段によって覆われることがあるので、リモコン装置自体の電源及び出力機器の電源などの基本的操作子については、本体手段の前面であって表示手段に覆われない個所に配置するようにした。これによって、こられのキーは表示手段の状態に関わらずいつでも操作可能な状態となるので、いつでも操作することができ、その操作性が向上する。なお、入力切換キー、選局入力キー、選局キー及び機器選択キー、消音キー、音量キーなどを本体手段の前面に配置してもよい。ただし、これらのキーを配置すると、表示手段によって覆われない領域が広くなり、全体的にリモコン装置の規模が大きくてってしまうという問題がある。
【０００７】
本発明に係るリモートコントロール装置の第４の特徴は、前記第１、２又は３の特徴において、前記本体手段の側面に前記ハード操作子の一部を設けたものである。本体手段の側面は、表示手段によって覆われることがないので、頻繁に利用される入力切換キー、選局入力キー、選局キー及び機器選択キー、消音キー、音量キーなどが配置される。これによって、こられのキーは表示手段の状態に関わらずいつでも操作可能な状態となるので、いつでも操作することができ、その操作性が向上する共に前述のように前面に設けてないので、リモコン装置の規模を大きくしなくてもよいという利点がある。
【０００８】
本発明に係るリモートコントロール装置の第５の特徴は、前記第２、３又は４の特徴において、前記表示手段が、前記本体手段の前面のほぼ中央付近に設けられた回転ダイアル手段と一体に構成され、前記回転ダイアル手段の回転移動に連動して移動するものである。これは、表示手段を本体手段のほぼ中央付近に設けた回転ダイアルで回転移動するようにしたものである。表示手段を回転移動することによって、表示手段が本体手段に配置されたハード操作子を覆わない状態を容易に形成することができるし、回転ダイアルを操作することによって表示手段を容易に回転移動することができ、その操作性が向上する。
【０００９】
本発明に係るリモートコントロール装置の第６の特徴は、前記第５の特徴において、前記回転ダイアル手段の下側であって前記表示手段によって覆われる前記本体手段の前面にハード操作子を設け、前記回転ダイアル手段の上側であって前記表示手段によって覆われる前記本体手段の前面に別のハード操作子を設け、前記回転ダイアル手段の上側であって前記本体手段の側面にさらに別のハード操作子を設けたものである。これは、リモコン装置のキー配置を具体的にしたものであり、回転ダイアル手段によって回転移動される表示手段によってリモコン装置の上下が覆われるような構成になっており、その上下覆われる部分と、覆われない部分である側面とにそれぞれ異なるハード操作子を配置するようにしたものである。例えば、本体手段の下側に録画再生制御系のハード操作子を設け、本体手段の上側に選局系のテンキーなどのハード操作子を設け、本体手段の側面に共通する入力切換え、選局入力、選局、消音、音量などを制御するためのハード操作子を設けるようにした場合などが対応する。
【００１０】
本発明に係るリモートコントロール装置の第７の特徴は、前記第５の特徴において、前記回転ダイアル手段の下側だけが前記表示手段によって覆われ、その覆われる前記本体手段の前面にハード操作子を設け、前記回転ダイアル手段の上側であって前記表示手段によって覆われることはないが、覆われた場合、その上側全体が隠れてしまうような大きさの前記本体手段の前面に別のハード操作子を設け、前記回転ダイアル手段の上側であって前記本体手段の側面にさらに別のハード操作子を設けたものである。これは、リモコン装置のキー配置を具体的にしたものであり、回転ダイアル手段によって回転移動される表示手段によってリモコン装置の下側だけが覆われ、上側は覆われないような構成になっており、その覆われる部分と、覆われない部分とにそれぞれ異なるハード操作子を配置するようにしたものである。例えば、本体手段の下側に録画再生制御系のハード操作子を設け、本体手段の上側に共通する操作子の一部である入力切換え、選局入力、消音などを制御するためのハード操作子を設け、本体手段の側面に共通する操作子の他の選局、音量などを制御するためのハード操作子を設けるようにした場合が対応する。すなわち、この発明では、本体部の上側を表示手段によって覆わずに、そこに配置されるハード操作子の数を比較的少なくし、リモコン装置全体の大きさを比較的小さくし、共通に操作されるハード操作子を集中して配置することによって、操作性を向上したものである。
【００１１】
本発明に係るリモートコントロール装置の第８の特徴は、前記第５、６又は７の特徴において、前記回転ダイアル手段のほぼ中央付近に前記表示手段の表示画面を制御する画面制御操作子を備えたものである。表示手段の表示画面を制御するときに、ポインタ・カーソルの移動や選択、画面遷移、画面表示の消去といった画面操作制御は画面を見たまま連続で、画面表示と連動して違和感の無いスムーズな操作を実現することが望ましいので、ここでは、そのために回転ダイアルのほぼ中央付近に、例えばジョイスティック操作子、マウス、十字ボタンなどのハードキーを設けるようにした。
【００１２】
本発明に係るリモートコントロール装置の第９の特徴は、前記第８の特徴において、前記画面制御操作子は上下左右に操作されることによって前記表示画面を制御する第１の操作子と、この第１の操作子手段の操作される上下左右の方向とは異なる上下斜め方向に前記表示画面制御時の指令を発する第２及び第３の操作子とをそれぞれ設けたものである。回転ダイアルのほぼ中央付近に設けられる画面制御操作子は、ジョイスティック操作子、マウス、十字ボタンなどのハードキーで構成される場合が多い。表示画面上でポインタ・カーソルを移動させる時には、これらの操作子を上下左右に操作することが多いので、操作時に指が上下左右に滑った場合でも誤操作されないような位置に、第２及び第３の操作子を配置するようにした。この第２及び第３の操作子としては、例えば「戻る」キーや「クリア」キーなどが対応する。
【００１３】
本発明に係るリモートコントロール装置の第１０の特徴は、前記第２から第９の特徴に記載のいずれか１において、前記表示手段によって覆われていない個所のハード操作子及び前記表示手段の画面上に表示されているソフト操作子の両方の操作子で一つの電子機器を遠隔操作できるように構成されたものである。表示手段に表示されているソフト操作子と、本体手段に設けられたハード操作子との並列配置によって一つの電子機器を遠隔操作できるので、ブラインド操作、連続操作、指定タイミングでの操作が行い易い場合には、ハード操作子を、それ以外の操作にはソフト操作子を利用することができるので、その操作性が向上する。
【００１４】
本発明に係るリモートコントロール装置の第１１の特徴は、前記第２から第１０の特徴に記載のいずれか１において、前記表示手段によって覆われていない個所のハード操作子とは異なる種類のソフト操作子を優先的に前記表示手段の画面上に表示するものである。これは、操作対象機器の機能ボタンを表示画面に表示する際に、ハード操作子とは異なる機種依存性の高いボタンを優先して表示するようにしたものである。これによって操作対象機器を切換えた後にリモコン装置全体を用いて操作対象機器の主な制御を行うことができるようになり、操作性が向上する。
【００１５】
本発明に係るリモートコントロール装置の第１２の特徴は、前記第２から第１１の特徴に記載のいずれか１において、前記電子機器の複数の機能を備えた複合機器を遠隔操作する場合には、前記表示手段が前記ハード操作子を覆わない状態で前記ハード操作子及び前記ソフト操作子の両方の操作子で遠隔操作できるように構成されたものである。複合機器の場合、操作子の数は必然的に多くなるので、このような場合には、表示手段をハード操作子を覆わない状態に移動させて、本体手段の全てのハード操作子と表示手段に表示されるソフト操作子の両方で効率良く複合機器を遠隔操作するようにしたものである。
【００１６】
本発明に係るリモートコントロール装置の第１３の特徴は、前記第２から第１２の特徴に記載のいずれか１において、前記表示手段の移動後の位置及び向きに応じて前記表示画面の向きを変更して表示するものである。これは、表示画面の表示の向きがその表示手段の移動後の位置に応じて変わるようにしたものである。表示画面の表示の向き及び位置に応じて使用者は常に同じ向きで表示画面を認識することができるようになる。
【００１７】
本発明に係るリモートコントロール装置の第１４の特徴は、前記第１から第１３の特徴に記載のいずれか１において、前記本体手段に音声を検出するマイクロフォン手段を設け、検出された音声に応じて予め登録しておいた複数機能の連続操作を実行できるようにしたものである。これは、マクロなどによる複合操作について、登録音声で一発呼出実行できるようにしたものである。複数機器を連続操作する場合には、予めそれらの機器の操作手順をマクロとして操作名と共に組み込んでおき、その操作名をマイクロフォン手段で呼び出すことによって、その操作が実行されるようにした。連続操作に対応する操作名を画面上を用いて複数操作にて選択して実行させる通常の場合に比べて、より直感的かつ迅速に呼び出して実行させることができる。
【００１８】
本発明に係るリモートコントロール装置の第１５の特徴は、前記第１から第１４の特徴に記載のいずれか１において、前記表示画面の切換えを行うハード操作子を前記表示手段に設けたものである。これは、表示手段の表示画面を順次切り換える、例えばページ切換えキーのようなものをハードキーとして表示画面以外に設けるようにしたものである。このような切換えキーを表示画面上にソフト操作子として設けないことによって、表示画面を有効活用することができる。
【００１９】
本発明に係るリモートコントロール装置の第１６の特徴は、前記第１から第１５の特徴に記載のいずれか１において、前記表示画面上に遠隔操作の対象となる電子機器の一覧を表示してその選択を行うためのハード操作子を前記本体手段に設け、同様のソフト操作子を前記表示画面上にそれぞれ設けたものである。これは、遠隔操作の対象となる電子機器を選択する場合、ハード操作子又はソフト操作子の両方でいつでもできるようにしたものである。
【００２０】
本発明に係るリモートコントロール装置の第１７の特徴は、前記第１から第１６の特徴に記載のいずれか１において、ブラインド操作と連続押しを行う操作子はハード操作子として設けたものである。これは、画面操作キーや選局キーなどのように連続して操作される操作子や所望タイミングで確実に操作したい録音再生キーなどのようにブラインド操作される操作子などを、その操作性能や使用性能を向上させるために、ハード操作子として設けたものである。
【発明の効果】
【００２１】
以上説明したように本発明のリモートコントロール装置によれば、ハード操作子の持つ操作性と各種電子機器に対応したソフト操作子をＬＣＤユニット上に表示することによって実現される利便性を併せ持つことができるという効果がある。
【発明を実施するための最良の形態】
【００２２】
以下添付図面に従って本発明に係るリモコン装置の好ましい実施の形態について説明する。この実施の形態では複数の電子機器としてデジタル放送チューナー及びＤＶＤ録画再生機器を操作可能なリモコン装置を例に説明する。図１〜図４は、回転移動可能なＬＣＤユニットを備えた第１の実施例に係るリモコン装置の概略構成を示す図である。図１は、第１の実施例に係るリモコン装置のＬＣＤユニットがどのように動くのかその動きの一例を示す図である。図２は、第１の実施例に係るリモコン装置がデジタル放送チューナー用として機能する場合の一例を示す図である。図３は、第１の実施例に係るリモコン装置がＤＶＤ録画再生機器用として機能する場合の一例を示す図である。図４は、第１の実施例に係るリモコン装置がＤＶＤ録画再生機能を内蔵したデジタル放送受信機のような複合機器を制御する場合の一例を示す図である。
【００２３】
このリモコン装置は、各種ハードキーを備えた本体部１０ａと、各電子機器に対応した操作キーや機能キーなどを表示し、これらのキーの操作状態をタッチパネルで検出するＬＣＤユニット２０ａ〜２０ｃとから構成される。図では、ＬＣＤユニット２０ａ〜２０ｃの３個が表示されているが、これはＬＣＤユニット２０ａ〜２０ｃの回転移動時の様子を示すものであり、実際は１枚のＬＣＤユニットで構成される。
【００２４】
ＬＣＤユニット２０ａ〜２０ｃは、本体部１０ａの中央部に設けられた回転ダイアル２３に連動して回転移動するようになっている。この回転ダイアル２３は指などによって回転駆動される。回転ダイアル２３の中心付近には、ＬＣＤユニット２０ａ〜２０ｃの画面（リモコン画面）を操作したり、操作される電子機器の画面（機器画面）を操作することのできるジョイスティック操作子２４が設けられている。このジョイスティック操作子２４がリモコン画面操作用として動作するのか、機器画面操作用として動作するのかを決定するのが、操作対象選択スイッチ２５である。操作対象選択スイッチ２５は、時計の針状の操作子であり、「リモコン」又は「機器」のいずれかに回転移動されることによって、回転移動時の位置に対応した操作対象を選択するようになっている。すなわち、操作対象選択スイッチ２５が「リモコン」の位置にある場合には、手元のリモコン装置に表示された操作メニューを操作して電子機器を制御することができ、操作対象選択スイッチ２５が「機器」の位置にある場合には、操作される電子機器の機器画面（電子機器の表示部）に操作メニューが表示されるので、ジョイスティック操作子２４を操作することによって、その操作メニューを適宜選択設定したりして電子機器本体を制御することができる。このように、リモコン装置側の操作メニューで操作するのか、電子機器側の機器画面を操作するのか、その選択をユーザーが適宜行うことができるので、ユーザーの好みや使用状況で選択できる使用性の向上を図ることが可能となる。なお、この操作対象選択スイッチ２５は、現在「リモコン」又は「機器」のどちらが操作対象となっているのかが分かるようなスイッチであれば、時計の針状の操作子以外のボタン型のスイッチやその他の種々のスイッチで構成されていてもよい。ジョイスティック操作子２４の斜め右上及び斜め左下には、画面制御時の動作を制御するクリアキー２６と戻るキー２７が設けられている。クリアキー２６及び戻るキー２７が斜め４５度の方向に設けられているのは、ジョイスティック操作子２４の操作方向が主に上下左右なので、操作時に指が上下左右に滑った場合でも誤操作されないようにするためである。
【００２５】
本体部１０ａの前面最上端部には、リモコン装置の主電源キー１１と、操作可能な各電子機器のオン／オフを制御する機器電源キー１２が設けられている。この主電源キー１１と機器電源キー１２は、図のようにＬＣＤユニット２０ａによって覆われないように常に露出した状態となるようにＬＣＤユニット２０ａは構成されている。本体部１０ａの側面には、頻繁に利用されるハードキーが配置されている。例えば、右側面には、入力切換キー１３、選局入力キー１４、選局キー１５及び機器選択キー１６が配置され、左側面には、消音キー１７と音量キー１８が配置されている。このように本体部１０ａの側面に配置されたキーはＬＣＤユニット２０ａによって覆われることがないので、ＬＣＤユニット２０ａの状態に関わらずいつでも操作可能な状態にある。なお、図２に示すように、左右側面に設けられた各キーの機能を示す表示（機能識示表示）が本体部１０ａの前面に刻印されている。ここでは、「入力切換」、「選局入力」、「選局」、「機器選択」、「消音」及び「音量」の文字が刻印されている。また、同様に図示されていないが、本体部１０ａの側面にも同様の機能識示表示が刻印されており、ＬＣＤユニット２０ａによって本体部１０ａの前面が覆われた場合でもこれを見てキーの機能を認識して操作することができるようになっている。
【００２６】
図２に示すように、本体部１０ａの前面の回転ダイアル２３の上側には、「１」〜「１２」のハードテンキーで構成されたチャンネル選局キーが設けられている。図２に示すように本体部１０ａの前面の回転ダイアル２３の下側左右にはマイクロフォン２８が内蔵されており、予め登録されたマクロを登録音声にて一発で呼び出し実行できるようになっている。
【００２７】
図２は、リモコン装置がデジタル放送チューナー用として機能する場合を示しているので、ＬＣＤユニット２０ｃには、そのデジタル放送チューナーの操作に対応した操作キー（デジタル放送依存キー）が液晶パネル２１ｃ上に表示されている。なお、ＬＣＤユニット２０ａの上部左右にある左右方向の三角形の刻印されたハードキーは、ページ切換キー２２１，２２２である。ページ切換キー２２１，２２２は、ＬＣＤユニット２０ｃの液晶パネル２１ｃの表示内容を順次切り換えるものである。
【００２８】
図３は、リモコン装置がＤＶＤ録画再生機器用として機能する場合を示しているので、ＬＣＤユニット２０ａには、そのＤＶＤ録画再生機器の操作に対応した操作キー（ＤＶＤ機種依存キー）が液晶パネル２１ａ上に表示されている。なお、ＬＣＤユニット２０ａの下部左右にある左右方向の三角形の刻印されたハードキーは、液晶パネル２１ａのページ内容を切り換えるページ切換キー２２１，２２２である。このようなページ切換えキーを液晶パネル上に表示すると、液晶パネルの表示領域を狭めることになるので、このようにハードキーとして液晶パネル外に設けることによって液晶パネルを有効活用することができる。また、本体部１０ａの前面の回転ダイアル２３の下側には、とっさの操作に対応した録画再生制御用のハードキーで構成された操作キー、例えば、録画キー、停止キー、一時停止キーなどが設けられている。
【００２９】
このリモコン装置は、マルチリモコン機能としての表示を行うＬＣＤユニット２０ａ〜２０ｃを上下左右に移動できるようになっている。また、ハードキーとしては、ＡＶ機器に共通と思われる機能（選局、録画再生停止など、画面操作など）に対応したキーだけが設けられている。これによって、利用したいハードキーが利用可能となる位置にＬＣＤユニット２０ａ〜２０ｃを自由に移動することができ、操作対象機器に応じてハードキーの方が操作しやすいと思われるものがそのままハードキーとして配置されているので、操作性が向上する。なお、上述の実施の形態では、ＬＣＤユニット２０ａ〜２０ｃを回転移動する場合について説明したが、これ以外にもスライドしたり、付け替えたりなどして移動できるようにしてもよい。上述の実施の形態では、ハードキーとして連続操作する画面操作や選局キーや所望タイミングで操作したい録音再生キーなどを配置する場合を示したがこれ以外のキーをハードキーとして配置してもよい。
【００３０】
また、上述の実施の形態では、マルチリモコン機能としての表示を行うＬＣＤユニット２０ａ〜２０ｃ上のソフトキーと、ハードキーとを並列配置することができるので、必要に応じてＬＣＤユニット２０ａ〜２０ｃ上の画面キー（ソフトキー）と、ブラインド操作、連続操作、指定タイミングでの操作が行い易いハードキーを同時に利用することができる。
【００３１】
さらに、電子機器の基本的な制御である電源のオン／オフや音量などに関するキーはハードキーとして常設されているので、使用者はいつでもこれらの制御を行うことができる。また、制御対象となる電子機器は任意に設定可能である。制御対処となる電子機器の選択は、ＬＣＤユニット２０ａ〜２０ｃ上に設けられたページ切換キー２２１，２２２で行うことができると共に側面に設けられたダイアル状の機器選択キー１６を上下に回転することによって行うことができる。図５は、この機器選択キー１６の操作時にＬＣＤユニット２０ａ〜２０ｃに表示される画面の一例を示す図である。機器選択キー１６を操作するか、又は図２及び図３のＬＣＤユニット２０ａ，２０ｃの液晶パネル２１ａ，２１ｃに表示されている「ＢＳ」（現在の対応機器名を表示する欄）を選択すると、それに応じて図５のような機器名（ＤＶＤ１，ビデオ１，テレビ１，デジタルＢＳなど）で構成される機器選択の一覧画面がＬＣＤユニット２０ａ〜２０ｃに表示される。そこで、この機器選択キー１６を上下に回転するか、又は液晶パネル２１ａ，２１ｃ上の上向き三角形又は下向き三角形を操作して、所望の機器名を選択することによって機器選択を行うことができるようになっている。
【００３２】
この実施の形態に係るリモコン装置は、回転ダイアル２３を回すとそれに連動してＬＣＤユニット２０ａ〜２０ｃが回転するようになっている。また、この回転位置に応じて液晶パネル２１ａ〜２１ｃの表示画面が切り換えられて見易いように表示されるようになっている。すなわち、回転ダイアル２３とＬＣＤユニット２０ａ〜２０ｃは、一体構造となっているので、回転ダイアル２３を回すとそれに従って液晶パネル２１ａ〜２１ｃの位置が回転移動するようになっている。回転ダイアル２３の位置は、液晶パネル２１ａ〜２１ｃの位置に関係なく固定された位置（リモコン装置のほぼ中央付近）にあり、また片手で容易に回転することができるようになっている。従って、使用者は、液晶パネル２１ａ〜２１ｃの位置を片手で容易に変更することができる。さらに、図４に示すようにＬＣＤユニット２０ｂが本体部１０ａの左側（右側でも可）に位置する場合は、本体部１０ａに設けられている全てのハードキーと液晶パネル２１ｂ上に表示されている画面キーの全てをほぼ同時に利用することができる。
【００３３】
この実施の形態に係るリモコン装置は、ザッピング操作などのように連続してキー操作されることの多い選局系キーについてはハードキー構成としてある。すなわち、放送受信機を操作する場合には、画面を見たまま連続的に選局して見たいものをすぐに確認できるようにリモコン装置を操作する場合が多いので、操作しやすくブラインド操作可能なハードキー構成とすることによってその使用性能を向上している。なお、操作対象機器に該当する機能が存在しない場合には、そのハードキーは操作されても無効なキーとなり、動作しないようになっている。
【００３４】
ハードキーとして画面操作に必要なキーは可能な限り常時使用可能な位置に配置してある。すなわち、ポインタ・カーソルの移動や選択、画面遷移、画面表示の消去といった画面操作制御は画面を見たまま連続で、画面表示と連動して違和感の無いスムーズな操作を実現するために、操作し易いブラインド操作可能なハードキーで操作できるようにしてある。例えば、この実施の形態では機器選択キー１６、ページ切換キー２２１，２２２又はジョイスティック操作子２４などが該当する。なお、ジョイスティック操作子２４に代えて、マウスや十字ボタンなどを用いてもよい。
【００３５】
操作対象機器の機能ボタンを液晶パネル２１ａ〜２１ｃに表示する際に、ハードキーで設けてない機種依存機能の高いボタンを優先して表示するようにしている。これによって操作対象機器を切換えた後にリモコン装置全体を用いて操作対象機器の主な制御を行うことができるようになる。例えば、図２に示すように、リモコン装置がデジタル放送チューナー用として機能する場合には、デジタル放送依存キーが液晶パネル２１ｃ上に表示され、図３に示すように、リモコン装置がＤＶＤ録画再生機器用として機能する場合には、ＤＶＤ機種依存キーが液晶パネル２１ａ上に表示され、操作対象機器切換え直後からその操作対象機器を制御することができる。
【００３６】
リモコン装置がどのようにしてＬＣＤユニットによって覆われていない個所のハードキーとは異なる種類のソフトキーを優先的にＬＣＤユニットの画面上に表示するのかを説明する。この実施の形態に係るリモコン装置は、操作対象機器の機能ボタンを表示画面に表示する際に、ハードキーとは異なる機種依存性の高いボタンを優先して表示する。これによって操作対象機器を切換えた後にリモコン装置全体を用いて操作対象機器の主な制御を行うことができるようになり、操作性が向上する。図６は、リモコン装置の各ハードキーへのキーコードの割り当て状態を示すリモコンコードデータベースの一機種のキーコード群の一例を示す図である。リモコン装置の各ハードキーには固有のＩＤを定義する。例えば、選局キー１５の上向きキーはＣＨ＿ＵＰ、下向きキーはＣＨ＿ＤＯＷＮ、入力切換キー１３はＣＨ＿ＩＮＰＵＴ、選局入力キー１４はＣＨ＿ＮＵＭ、テンキー・１〜１２にはＮＵＭ＿１〜１２などの固有のＩＤが定義される。リモコンコードデータベースの一機種に対応するキーコード（機能名）については、固有のキー番号「０」〜「４５」が割り当てられる。このリモコン装置の場合は、各ハードキー該当する機能を有するキーに対してそれぞれのキー番号値と該当するハードキーの固有のＩＤがハードキー割当として１対１に関連付けられる。このようにしてリモコン装置への機器登録を行った結果、対応するハードキーの固有ＩＤを持たないキーコード（機能名）には、ハードキーの割り当てが無いので、図ではＮＯＮＥが割り当てられる。従って、図６に示すような機器のキーコード群においては、ハードキーの固有ＩＤを持たない（ハードキーに割り当て済でない）、キー番号値の小さいものから順番に表示先ページの優先順位が割り当てられるようになっている。図６では、キー番号「２」の番組表、「３」の現在番組、「４」の放送切換、「７」のテレビ／ラジオ／データに表示先ページ「１」が、「４１」の番組情報、「４２」の映像切換、「４３」の字幕に表示先ページ「２」が、「４４」の予約解除、「４５」の確認登録、「０」の選局上、「１」の選局下、「５」の入力切換に表示先ページ「３」が、「６」の選局入力、「８」のテンキー・１、「９」のテンキー・２に表示先ページ「４」がそれぞれ割り当てられる。この表示先ページは、操作対象機器をこのリモコン装置で操作する際に、液晶画面で何ページ目に表示されるかを示すものであり、この表示先ページの割り当てに従って、表示画面には優先的にその機能ボタンが表示されるようになる。
【００３７】
通常、ＡＶ機器で録画・再生の制御に使用される機能キーをハードキーとして設けることによって、とっさに押したい録画再生などの制御を容易に行うことができるようにしている。すなわち、映像や音声を再生したり録音したりする場合には、その操作したいタイミングで確実に映像や音声を画面を見たままで制御し、応答をすぐに確認したいため、操作しやすいブラインド操作可能なハードキーで構成し、その操作性能や使用性能を向上するようにした。なお、この場合にも、操作対象機器に該当する機能が存在しない場合には、そのハードキーは操作されても無効なキーとなり、動作しないようになっている。
【００３８】
この実施の形態に係るリモコン装置は、ＤＶＤ録画再生機能を内蔵したデジタル放送受信機のような複合機器のような多機能機種にも対応することができる。すなわち、図４に示すように操作対象機器がＤＶＤ録画再生機能を内蔵したデジタル放送受信機のような複合機器の場合は、ハードキーの配置されていない部分、すなわち本体部１０ａの側面（図では左側）にＬＣＤユニット２０ｂを移動配置して、リモコン装置の全ハードキーとＬＣＤユニット２０ｂ上に表示されている表示キーを同時に一覧可能とし、またそれらを任意に操作することができ、複合機器などのような複雑な機器にも対応することができる。
【００３９】
また、この実施の形態に係るリモコン装置は、ＬＣＤユニット２０ａ〜２０ｃ液晶パネル２１ａ〜２１ｃの画面方向がその液晶パネル２１ａ〜２１ｃの位置に応じて変化するようになっている。すなわち、液晶パネル２１ａ〜２１ｃの向き及び位置に応じて使用者は常に同じ向きで表示画面を認識することができるように、画面の向きが変わるようになっている。
【００４０】
リモコン装置がどのようにしてＬＣＤユニットの移動後の位置及び向きに応じて表示画面の向きを変更して表示するのかを説明する。すなわち、このリモコン装置はＬＣＤユニットの表示画面の表示の向きがその移動後の位置に応じて変わるようになっている。図７は、図４のようにＬＣＤユニット２０ｂが本体部１０ａの左側に位置する場合の本体部１０ａのベース部と回転ダイアル２３との関係を示す図であり、図７（Ａ）は図２に対応して本体表面側から見た図であり、図７（Ｂ）は図７（Ａ）を下側から見た側面図である。図７に示すように、ＬＣＤユニット２０ｂの付け根部２００は、回転ダイアル２３の下側に取り付けられている。回転ダイアル２３の下側であって本体部１０ａの表面側には、付け根部２００の回転位置を検知するためのセンサ２３ａ〜２３ｄがそれぞれ９０°の角度毎に設けられている。従って、図７に示すように、付け根部２００が本体部１０ａの左側に位置することによって、センサ２３ｂが付け根部２００を検出した場合には、ＬＣＤユニット２０ｂの検出位置に応じた表示画面として図４に示すような画面が液晶パネル２１ｂに表示されるようになる。なお、センサ２３ｃによって付け根部２００が検出された場合には、図２のような画面が液晶パネル２１ｃに表示され、センサ２３ａによって付け根部２００が検出された場合には、図３のような画面が液晶パネル２１ａに表示されるようになる。なお、センサ２３ｄによって付け根部２００が検出された場合にも同様の表示がされる。このようにして、表示画面の表示の向き及び位置に応じて使用者は常に同じ向きで表示画面を認識することができるようになる。
【００４１】
この実施の形態に係るリモコン装置は、マイクロフォン２８が内蔵されており、マクロなどによる複合操作については登録音声で一発呼出実行できるようになっている。すなわち、複数機器を連続操作する場合には、予めそれらの機器の操作手順をマクロとして操作名と共に組み込んでおき、その操作名をマイクロフォン２８で呼び出すことによって、その操作が登録音声で一発呼出実行できるようになっている。連続操作に対応する操作名を画面上を用いて複数操作にて選択して実行させる通常の場合に比べて、より直感的かつ迅速に呼び出して実行させることができる。この場合、固定語の音声と連続操作／操作間隔内容の対応を予め登録しておき、それを音声を用いて呼び出すようにする。リモコン装置の内部で実行される音声認識処理は、固定語を認識する処理なので通常の音声認識処理よりも処理の負担が軽く済み、容易に実現可能である。
【００４２】
図８は、マイクロフォン２８を用いて、マクロと音声を登録するマクロ＆音声登録処理の一例を示すフローチャート図である。ステップＳ１５０〜ステップＳ１５４の処理は、通常のマクロ登録処理の一例である。ステップＳ１５０では、マクロ操作登録指示を受け付けて、マクロ登録処理を開始する。ステップＳ１５１では、ユーザによる操作を受け付ける状態にあるので、ユーザは一連の登録したい操作を実行すると、それに従ってその操作内容及び操作間隔を一時的に記憶する。ステップＳ１５２では、ユーザによるマクロ操作登録が終了したとの指示を受け付ける。ステップＳ１５３では、登録の終了したマクロの名称の登録するための入力を要求し、ユーザによってマクロ名称が登録される。ステップＳ１５４では、前述の各ステップで登録されたマクロ登録内容すなわちマクロの名称、マクロの操作内容及びその操作間隔などが保存される。
【００４３】
ステップＳ１５５〜ステップＳ１５Ｈの処理は、登録されたマクロに対してコマンド音声を登録する処理の一例である。ステップＳ１５５では、コマンド音声の登録指示を受け付ける。ステップＳ１５６では、コマンド登録の受け付けに応じて登録済みコマンドの音声数が上限未満であるか否かの判定を行い、ｎｏの場合は、ステップＳ１５７に進み、ｙｅｓの場合はステップＳ１５８に進む。ステップＳ１５７では、登録済みコマンド音声数が上限に達していると判定されたので、登録不可エラーを表示して処理を終了する。この場合には不要なコマンド音声の削除するなどして新たなコマンド音声を登録できるようにする必要がある。ステップＳ１５８では、登録対象となるマクロの特定が済んでいるか否かの判定を行い、ｙｅｓの場合はステップＳ１５Ａに進み、ｎｏの場合はステップＳ１５９に進む。ステップＳ１５９では、登録対象マクロが特定されていないと判定されたので、登録対象マクロの特定を指示し、ステップＳ１５Ａに進む。
【００４４】
ステップＳ１５Ａでは、ユーザはマイクロフォン２８を用いて音声を登録することができる状態にあるので、登録音声が入力されるまで待機する。ステップＳ１５Ｂでは、ユーザによる音声登録が終了した時点でユーザから登録音声入力完了を受け付ける。ステップＳ１５Ｃでは、入力された音声をＡＤ変換する。ステップＳ１５Ｄでは、登録音声の特徴に基づいてインデックス情報を作成する。ステップＳ１５Ｅでは、前のステップで作成されたインデックス情報に基づいて既に登録済のコマンド音声に類似する音声がないかどうかの判定を行い、類似する音声が既に登録済み（ｎｏ）の場合はステップＳ１５Ｆに進み、類似する音声がない（ｙｅｓ）場合はステップＳ１５Ｇに進む。ステップＳ１５Ｆでは、既に類似する音声が登録されているので、別の音声で登録するように再登録の要求を行い、ステップＳ１５Ａにリターンする。ステップＳ１５Ｇでは、登録された音声特徴インデックス情報をコマンド音声情報としてマクロに対応付けてコマンド音声・マクロ情報データベースに保存する。
【００４５】
図９は、登録されたマクロをマイクロフォン２８を用いて呼び出して実行させる操作処理の一例を示すフローチャート図である。ステップＳ１６０は、マイクロフォン２８の側面に配置されたコマンド音声ボタンが操作されたかどうかの入力を検知する。このコマンド音声ボタンは、押下中は音声コマンド入力受付状態を維持する。ステップＳ１６１では、ユーザがマイクロフォン２８を介して入力した音声を一時的に記憶する。ステップＳ１６２では、押下中のコマンド音声ボタンが解除されたかどうかを検知する。ステップＳ１６３では、ステップＳ１６０〜ステップＳ１６２の処理によって一時的に記憶された音声の内容をＡＤ変換する。ステップＳ１６４では、ＡＤ変換された一時記憶音声の特徴を示すインデックス情報を作成する。ステップＳ１６５では、この一時記憶音声の特徴を示すインデックス情報（一時記憶音声情報）とコマンド音声・マクロ情報データベース内のコマンド音声情報とを照合する。ステップＳ１６６では、照合の結果、一致するコマンド音声情報がコマンド音声・マクロ情報データベース内に存在するか否かの判定を行い、一致するコマンド音声情報が存在しない（ｎｏ）場合はステップＳ１６７に進み、一致するコマンド音声情報が存在する（ｙｅｓ）場合はステップＳ１６８に進む。ステップＳ１６７では、該当する音声が存在しないので、それをユーザに知らせ、再度の音声入力などを促す処理を行う。ステップＳ１６８では、該当するコマンド音声に対応するマクロをコマンド音声・マクロ情報データベースから抽出する。ステップＳ１６９では、抽出されたマクロの登録操作内容を登録操作間隔で実行する。これによって、予め登録されたマクロが登録音声で一発呼出実行できるようになる。
【００４６】
図１０〜図１３は、第２の実施例に係るリモコン装置の概略構成を示す図である。図１０は、第２の実施例に係るリモコン装置のＬＣＤユニットがどのように動くのかその動きの一例を示す図である。図１１は、第２の実施例に係るリモコン装置がデジタル放送チューナー用として機能する場合の一例を示す図である。図１２は、第２の実施例に係るリモコン装置がＤＶＤ録画再生機器用として機能する場合の一例を示す図である。図１３は、第２の実施例に係るリモコン装置がＤＶＤ録画再生機能を内蔵したデジタル放送受信機のような複合機器を制御する場合の一例を示す図である。
【００４７】
図１０〜図１３の第２の実施例に係るリモコン装置において、図１〜図４の第１の実施例に係るリモコン装置と同じ構成のものには同一の符号が付してあるので、その説明は省略する。第２の実施例に係るリモコン装置が第１の実施例に係るリモコン装置と異なる点は、次のような点である。まず、第１に、リモコン装置の本体部１０ｂから「１」〜「１２」のハードテンキーで構成されたチャンネル選局キーが省略され、リモコン装置の全体的な長さが短くなっている点である。このように、チャンネル選局キーを省略し、全体的な長さを短くしたことによって、手の位置を移動しなくても全体を容易に操作することができる。第２に、ＬＣＤユニット２０ｄ，２０ｅが本体部１０ｂの下及び左右方向にだけ配置可能となっている点である。このようにしたのは、常時利用されるキーが本体部１０ｂの上部に配置されているので、ＬＣＤユニット２０ｄ，２０ｅが本体部１０ｂの上部に移動してこれらのキーを覆わないようにした。第３に、本体部１０ｂの長さを短くした点である。第１の実施例では本体部１０ａの側面に配置されていた入力切換キー１３、選局入力キー１４及び消音キー１７を本体部１０ｂの前面上部に配置し、頻繁に利用される上下選局キー１５及び音量キー１８をリモコン装置の本体部１０ｂの前面に配置し、指が届き易くして、操作性を向上させてある。なお、「１」〜「１２」のハードテンキーに対応した画面キーをＬＣＤユニットに表示することによって、テンキー操作を実行することができる。
【００４８】
図１４〜図１６は、第３の実施例に係るリモコン装置の概略構成を示す図である。図１４は、第３の実施例に係るリモコン装置がデジタル放送チューナー用として機能する場合の一例を示す図である。図１５は、第３の実施例に係るリモコン装置がＤＶＤ録画再生機器用として機能する場合の一例を示す図である。図１６は、第３の実施例に係るリモコン装置がＤＶＤ録画再生機能を内蔵したデジタル放送受信機のような複合機器を制御する場合の一例を示す図である。図１４〜図１６の第３の実施例に係るリモコン装置において、図１〜図４の第１の実施例に係るリモコン装置と同じ構成のものには同一の符号が付してあるので、その説明は省略する。
【００４９】
第３の実施例に係るリモコン装置が第１の実施例に係るリモコン装置と異なる点は、次にような点である。まず、第１の実施例のリモコン装置の本体部１０ａの側面に設けられていたハードキーで構成された入力切換キー１３、選局入力キー１４、選局キー１５が本体部１０ｃの前面に配置されている点である。また、第１の実施例のリモコン装置の本体部１０ａの側面に設けられていたハードキーで構成された機器選択キー１６が省略され、図１４〜図１６に示すようにＬＣＤユニット２０ｆ，２０ｇ，２０ｈの液晶パネル２１ｆ，２１ｇ，２１ｈ上に画面キーとして表示されている点である。さらに、図１５に示すように、入力切換キー１３、選局入力キー１４、選局キー１５及び「１」〜「１２」のチャンネル選局キーがＬＣＤユニット２０ｇによって覆われるようになっており、主電源キー１１、機器電源キー１２、消音キー１７、音量キー１８及び音声切換えキー１９だけがＬＣＤユニット２０ｇによって覆われないようになっている点である。
【００５０】
上述の実施の形態では、ＬＣＤユニットが１枚の場合について説明したが、複数枚（例えば４枚）のＬＣＤユニットを、上下左右複数個所に配置することができるようにしてもよい。すなわち、図１では、１枚のＬＣＤユニットが動作する場合を示しているが、複数枚のＬＣＤユニットを配置することによって、図１に示したように上下左などの複数箇所に同時にＬＣＤユニットを配置できるようにしてもよい。この場合、複数枚のＬＣＤユニットが重なって状態で図２〜図４のように１枚のＬＣＤユニットとして機能してもよい。また、ＬＣＤユニットは、本体部１０ａの前面を含む平面（図１の平面）内を回転する場合について説明したが、ＬＣＤユニットの裏側にハードキーを備え、ＬＣＤユニットがその平面に垂直な方向に回転して、裏返しになって、ＬＣＤユニットの裏側のハードキーが表面に現れるようにしてもよい。また上述の実施の形態において複数機能の操作例としてＤＶＤ録画再生機能を内蔵したデジタル放送受信機で説明したが、ＤＶＤ録画再生装置とデジタル放送受信機の別々の装置に対して同時にリモコン制御することも当然ながら可能である。
【図面の簡単な説明】
【００５１】
【図１】第１の実施例に係るリモコン装置のＬＣＤユニットがどのように動くのかその動きの一例を示す図である。
【図２】第１の実施例に係るリモコン装置がデジタル放送チューナー用として機能する場合の一例を示す図である。
【図３】第１の実施例に係るリモコン装置がＤＶＤ録画再生機器用として機能する場合の一例を示す図である。
【図４】第１の実施例に係るリモコン装置がＤＶＤ録画再生機能を内蔵したデジタル放送受信機を制御する場合の一例を示す図である。
【図５】この機器選択キーの操作時にＬＣＤユニットに表示される画面の一例を示す図である。
【図６】リモコン装置の各ハードキーへのキーコードの割り当て状態を示すリモコンコードデータベースの一機種のキーコード群の一例を示す図である。
【図７】図４のようにＬＣＤユニットが本体部の左側に位置する場合の本体部のベース部と回転ダイアルとの関係を示す図である。
【図８】マイクロフォンを用いて、マクロと音声を登録するマクロ＆音声登録処理の一例を示すフローチャート図である。
【図９】登録されたマクロをマイクロフォンを用いて呼び出して実行させる操作処理の一例を示すフローチャート図である。
【図１０】第２の実施例に係るリモコン装置のＬＣＤユニットがどのように動くのかその動きの一例を示す図である。
【図１１】第２の実施例に係るリモコン装置がデジタル放送チューナー用として機能する場合の一例を示す図である。
【図１２】第２の実施例に係るリモコン装置がＤＶＤ録画再生機器用として機能する場合の一例を示す図である。
【図１３】第２の実施例に係るリモコン装置がＤＶＤ録画再生機能を内蔵したデジタル放送受信機を制御する場合の一例を示す図である。
【図１４】第３の実施例に係るリモコン装置がデジタル放送チューナー用として機能する場合の一例を示す図である。
【図１５】第３の実施例に係るリモコン装置がＤＶＤ録画再生機器用として機能する場合の一例を示す図である。
【図１６】第３の実施例に係るリモコン装置がＤＶＤ録画再生機能を内蔵したデジタル放送受信機を制御する場合の一例を示す図である。
【符号の説明】
【００５２】
１０ａ〜１０ｃ…本体部
１１…主電源キー
１２…機器電源キー
１３…入力切換キー
１４…選局入力キー
１５…選局キー
１６…機器選択キー
１７…消音キー
１８…音量キー
１９…音声切換えキー
２０ａ〜２０ｈ…ＬＣＤユニット
２１ａ〜２１ｈ…液晶パネル
２２１，２２２…ページ切換キー
２３…回転ダイアル
２４…ジョイスティック操作子
２５…操作対象選択スイッチ
２６…クリアキー
２７…戻るキー
２８…マイクロフォン
【図１】
2008167459.tif 000003
【図２】
2008167459.tif 000004
【図３】
2008167459.tif 000005
【図４】
2008167459.tif 000006
【図５】
2008167459.tif 000007
【図６】
2008167459.tif 000008
【図７】
2008167459.tif 000009
【図８】
2008167459.tif 000010
【図９】
2008167459.tif 000011
【図１０】
2008167459.tif 000012
【図１１】
2008167459.tif 000013
【図１２】
2008167459.tif 000014
【図１３】
2008167459.tif 000015
【図１４】
2008167459.tif 000016
【図１５】
2008167459.tif 000017
【図１６】
2008167459.tif 000018